(57)【特許請求の範囲】
【請求項１】
バーナに供給する燃焼空気の温度が常温〜５５０℃にわたって変動するバーナ燃焼で、バーナ本体と、バーナ本体への燃料供給量を調整する燃料供給弁と、該燃料供給弁の弁開度であるバーナ開度に連動させて燃焼空気量を調整するインバータ制御の燃焼空気供給ファンとを備え、検出される被加熱材料の加熱温度に基づいて前記燃料供給弁のバーナ開度を調整しながら所定温度まで加熱するバーナ燃焼方法であって、
バーナ本体は一次空気用流路及び二次空気用流路を同心円状に形成し、各流路には流量調整用の一次ダンパー及び二次ダンパーで開閉調整するようにして、各ダンパーの開度に応じて前記燃焼空気供給ファンより供給される常温〜５５０℃の燃焼空気を各流路に分配供給して還元燃焼、酸化燃焼させる二段燃焼方式とし、
常温〜５５０℃にわたって燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにバーナ制御マップを設定し、
前記燃焼空気供給ファンより供給される燃焼空気の温度を温度センサで検出して、常温〜５５０℃にわたった燃焼空気の温度毎または所定の温度範囲毎でのバーナ開度、燃焼空気供給ファンのインバータ周波数、一次ダンパー開度、二次ダンパー開度をそれぞれ設定したバーナ制御マップを記憶した制御器のバーナ制御マップのデータを利用して前記温度センサにて検出される燃焼空気温度を基に、検出される燃焼空気の温度範囲に設定されたバーナ開度、燃焼空気供給ファンのインバータ周波数、一次ダンパー開度、二次ダンパー開度にて燃焼制御することを特徴とするバーナ燃焼方法。
【請求項２】
前記燃焼空気温度が常温〜５５０℃にわたって５０〜１００℃毎にバーナ開度、燃焼空気供給ファンの周波数、一次ダンパー及び二次ダンパーの開度のバーナ制御マップとしたことを特徴とする請求項１記載のバーナ燃焼方法。
【請求項３】
バーナに供給する燃焼空気の温度が常温〜５５０℃にわたって変動するバーナ燃焼で、バーナ本体と、バーナ本体への燃料供給量を調整する燃料供給弁と、該燃料供給バーナ本体と、バーナ本体への燃料供給量を調整する燃料供給弁と、該燃料供給弁の弁開度であるバーナ開度に連動させて燃焼空気量を調整するインバータ制御の燃焼空気供給ファンとを備え、検出される被加熱材料の加熱温度に基づいて前記燃料供給弁のバーナ開度を調整しながら所定温度まで加熱するバーナ装置であって、
バーナ本体は一次空気用流路及び二次空気用流路を同心円状に形成し、各流路には流量調整用の一次ダンパー及び二次ダンパーを備え、各ダンパーの開度に応じて前記燃焼空気供給ファンより供給される常温〜５５０℃の燃焼空気を各流路に分配供給して還元燃焼、酸化燃焼させる二段燃焼方式とし、
常温〜５５０℃にわたって燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにバーナ制御マップを設定し、
前記燃焼空気供給ファンより供給される燃焼空気の温度を検出する温度センサを備えて、前記温度センサにて検出される燃焼空気温度を基に前記常温〜５５０℃にわたったバーナ制御マップにより、検出される燃焼空気の温度範囲に設定されたバーナ開度、燃焼空気供給ファンのインバータ周波数、一次ダンパー開度、二次ダンパー開度にて燃焼制御するように構成したことを特徴とするバーナ装置。
【請求項４】
前記バーナ制御マップ中の一次ダンパー開度及び二次ダンパー開度は、一次ダンパーを通過する燃焼空気による一次燃焼では理論空気比より少量の空気を供給して還元燃焼させる一方、二次ダンパーを通過する燃焼空気による二次燃焼では理論空気比を充足させる量の空気を供給して酸化燃焼させるようにダンパー開度を設定したことを特徴とする請求項３記載のバーナ装置。
【請求項５】
バーナ開度１０％ピッチ毎にデータを設定または補間計算をして、所定の燃焼空気の温度毎にバーナ開度、供給ファンの周波数、一次ダンパー及び二次ダンパーの開度を設定したバーナ制御マップとしたことを特徴とする請求項１記載のバーナ燃焼方法。
【発明の詳細な説明】
【技術分野】
【０００１】
本発明は、加熱燃焼分野における、バーナ装置及びバーナ燃焼方法に関するものである。
【背景技術】
【０００２】
本発明者らは、特開２００７−３２１５２０号公報のようにバイオマス発電施設にて発生する高温の燃焼ガスと清浄空気とを熱交換させて清浄空気を加熱し、高温となった清浄空気をアスファルトプラントに設置されるドライヤのバーナの燃焼空気として供給することで、バーナ燃焼量を減らせて省エネやＣＯ2の削減を図るようにしている。
【０００３】
しかし、バイオマス発電施設の稼働状況に応じて加熱する清浄空気の温度、即ちバーナに供給する燃焼空気の温度が大きく変動（常温〜５００℃程度）するため、安定したバーナ燃焼を維持するためには工夫を必要とする。また、燃焼空気温度が高くなると、サーマルＮＯｘの生成量も多くなる。
【先行技術文献】
【特許文献】
【０００４】
【特許文献１】特開２００７−３２１５２０号公報
【発明の概要】
【発明が解決しようとする課題】
【０００５】
本発明は、バーナに供給する燃焼空気の温度が大きく変動する場合でも柔軟に対応可能で、省エネ、ＣＯ2の削減、更には低ＮＯｘ化を図れるバーナを提供することを課題とする。
【課題を解決するための手段】
【０００６】
本発明は、上記のような点に鑑みたもので、上記の課題を解決するために、特許請求の範囲の請求項１のように、バーナに供給する燃焼空気の温度が常温〜５５０℃にわたって変動するバーナ燃焼で、バーナ本体と、バーナ本体への燃料供給量を調整する燃料供給弁と、該燃料供給弁の弁開度であるバーナ開度に連動させて燃焼空気量を調整するインバータ制御の燃焼空気供給ファンとを備え、検出される被加熱材料の加熱温度に基づいて前記燃料供給弁のバーナ開度を調整しながら所定温度まで加熱するバーナ燃焼方法であって、バーナ本体は一次空気用流路及び二次空気用流路を同心円状に形成し、各流路には流量調整用の一次ダンパー及び二次ダンパーで開閉調整するようにして、各ダンパーの開度に応じて前記燃焼空気供給ファンより供給される常温〜５５０℃の燃焼空気を各流路に分配供給して還元燃焼、酸化燃焼させる二段燃焼方式とし、常温〜５５０℃にわたって燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにバーナ制御マップを設定し、前記燃焼空気供給ファンより供給される燃焼空気の温度を温度センサで検出して、常温〜５５０℃にわたった燃焼空気の温度毎または所定の温度範囲毎でのバーナ開度、燃焼空気供給ファンのインバータ周波数、一次ダンパー開度、二次ダンパー開度をそれぞれ設定したバーナ制御マップを記憶した制御器のバーナ制御マップのデータを利用して前記温度センサにて検出される燃焼空気温度を基に、検出される燃焼空気の温度範囲に設定されたバーナ開度、燃焼空気供給ファンのインバータ周波数、一次ダンパー開度、二次ダンパー開度にて燃焼制御することを特徴とするバーナ燃焼方法を提供するものである。
【０００７】
また、請求項２のように、前記燃焼空気温度が常温〜５５０℃にわたって５０〜１００℃毎にバーナ開度、燃焼空気供給ファンの周波数、一次ダンパー及び二次ダンパーの開度のバーナ制御マップとしたことを特徴とするバーナ燃焼方法を提供するにある。
【０００８】
さらに、請求項３のように、バーナに供給する燃焼空気の温度が常温〜５５０℃にわたって変動するバーナ燃焼装置で、バーナ本体と、バーナ本体への燃料供給量を調整する燃料供給弁と、該燃料供給バーナ本体と、バーナ本体への燃料供給量を調整する燃料供給弁と、該燃料供給弁の弁開度であるバーナ開度に連動させて燃焼空気量を調整するインバータ制御の燃焼空気供給ファンとを備え、検出される被加熱材料の加熱温度に基づいて前記燃料供給弁のバーナ開度を調整しながら所定温度まで加熱するバーナ装置であって、
バーナ本体は一次空気用流路及び二次空気用流路を同心円状に形成し、各流路には流量調整用の一次ダンパー及び二次ダンパーを備え、各ダンパーの開度に応じて前記燃焼空気供給ファンより供給される常温〜５５０℃の燃焼空気を各流路に分配供給して還元燃焼、酸化燃焼させる二段燃焼方式とし、常温〜５５０℃にわたって燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにバーナ制御マップを設定し、前記燃焼空気供給ファンより供給される燃焼空気の温度を検出する温度センサを備えて、前記温度センサにて検出される燃焼空気温度を基に前記常温〜５５０℃にわたったバーナ制御マップにより、検出される燃焼空気の温度範囲に設定されたバーナ開度、燃焼空気供給ファンのインバータ周波数、一次ダンパー開度、二次ダンパー開度にて燃焼制御するように構成したことを特徴とするバーナ装置を提供するものである。
【０００９】
またさらに、請求項４のように、前記バーナ制御マップ中の一次ダンパー開度及び二次ダンパー開度は、一次ダンパーを通過する燃焼空気による一次燃焼では理論空気比より少量の空気を供給して還元燃焼させる一方、二次ダンパーを通過する燃焼空気による二次燃焼では理論空気比を充足させる量の空気を供給して酸化燃焼させるようにダンパー開度を設定したことを特徴とするバーナ装置を提供するものである。
【００１０】
さらにまた、請求項５のように、バーナ開度１０％ピッチ毎にデータを設定または補間計算をして、所定の燃焼空気の温度毎にバーナ開度、供給ファンの周波数、一次ダンパー及び二次ダンパーの開度を設定したバーナ制御マップとしたことを特徴とするバーナ燃焼方法を提供するものである。
【発明の効果】
【００１１】
本発明は、特許請求の範囲の請求項１のように、バーナに供給する燃焼空気の温度が常温〜５５０℃にわたって変動するバーナ燃焼で、バーナ本体は一次空気用流路及び二次空気用流路を同心円状に形成し、各流路には流量調整用の一次ダンパー及び二次ダンパーで開閉調整するようにして、各ダンパーの開度に応じて前記燃焼空気供給ファンより供給される常温〜５５０℃の燃焼空気を各流路に分配供給して還元燃焼、酸化燃焼燃焼空気を各流路に分配供給させる二段燃焼方式とし、常温〜５５０℃にわたって燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにバーナ制御マップを設定し、前記燃焼空気供給ファンより供給される燃焼空気の温度を温度センサで検出して、常温〜５５０℃にわたった燃焼空気の温度毎または所定の温度範囲毎でのバーナ開度、燃焼空気供給ファンのインバータ周波数、一次ダンパー開度、二次ダンパー開度をそれぞれ設定したバーナ制御マップを記憶した制御器のバーナ制御マップのデータを利用して前記温度センサにて検出される燃焼空気温度を基に、検出される燃焼空気の温度範囲に設定されたバーナ開度、燃焼空気供給ファンのインバータ周波数、一次ダンパー開度、二次ダンパー開度にて燃焼制御することによって、バーナに供給する燃焼空気の温度が常温〜５５０℃にわたって大きく変動しても、予め燃焼空気の温度毎または温度範囲毎にバーナ開度、燃焼空気供給ファンのインバータ周波数、一次ダンパー開度、二次ダンパー開度を実験結果等によって対応させて設定したバーナ制御マップで、柔軟に対応して適正に燃焼調整させることができ、予熱された燃焼空気を利用して省エネ、ＣＯ2 の削減を実現できる。
そして、燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにして、燃焼空気温度が高いほど保有熱量が大きくなるので、火炎温度を一定に維持すれば、燃焼空気の保有熱量分だけバーナ開度を低下させることができて省エネルギ化がはかれる。
また、一次ダンパーを通過する燃焼空気による一次燃焼では、理論空気比より少量の空気を供給して還元燃焼させ、二次ダンパーを通過する燃焼空気による二次燃焼では、理論空気比を充足させる量の空気を供給して酸化燃焼させるようにダンパー開度を制御して、一次空気を理論空気比より抑えることにより、低酸素下での緩慢燃焼（還元燃焼）となってサーマルＮＯｘの生成を抑えられ、酸素不足により不完全燃焼となってＣＯが多量に生成されるが、二次ダンパーからの適宜量の二次空気によって完全燃焼（酸化燃焼）させる、二段燃焼方式とし、燃焼空気供給ファンより供給される常温〜５５０℃の燃焼空気の温度を温度センサで検出して、燃焼空気の温度範囲毎にバーナ開度、燃焼空気供給ファンのインバータ周波数、一次ダンパー開度、二次ダンパー開度を設定したバーナ制御マップを記憶した制御器のバーナ制御マップを介して、バーナに供給する燃焼空気の温度が大きく変動しても適正に燃焼調整させることができ、省エネ、ＣＯ2 の削減、サーマルＮＯｘの生成量の低減を図ることができる。
【００１２】
また、請求項２のように、燃焼空気の温度が常温〜５５０℃にわたって５０〜１００℃毎にバーナ開度、燃焼空気供給ファンの周波数、一次ダンパー及び二次ダンパーの開度のバーナ制御マップで、上記したようにバーナに供給する燃焼空気の温度が大きく変動しても柔軟に対応して適正に燃焼調整させることができ、予熱された燃焼空気を利用して省エネ、ＣＯ2 の削減、サーマルＮＯｘの生成量の低減を図れる。
【００１３】
さらに、請求項３のように、バーナに供給する燃焼空気の温度が常温〜５５０℃にわたって変動するバーナ燃焼で、上記のように二段燃焼方式とし、常温〜５５０℃にわたって燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにバーナ制御マップを設定し、前記燃焼空気供給ファンより供給される燃焼空気の温度を検出する温度センサを備えて、前記温度センサにて検出される燃焼空気温度を基に前記常温〜５５０℃にわたったバーナ制御マップにより、バーナ開度、燃焼空気供給ファンのインバータ周波数、一次ダンパー開度、二次ダンパー開度にて燃焼制御するように構成したことによって、バーナに供給する燃焼空気の温度が大きく変動しても適正に燃焼調整させることができ、上記のように省エネ、ＣＯ2 の削減、サーマルＮＯｘの生成量の低減を図れる。
【００１４】
また、請求項４のように、バーナ制御マップ中の一次ダンパー開度及び二次ダンパー開度は、一次ダンパーを通過する燃焼空気による一次燃焼では理論空気比より少量の空気を供給して還元燃焼させる一方、二次ダンパーを通過する燃焼空気による二次燃焼では理論空気比を充足させる量の空気を供給して酸化燃焼させるようにダンパー開度を設定しておくことで、バーナ燃焼時には火炎温度を低下させることができてサーマルＮＯｘの生成量を効果的に低減できる。
【００１５】
さらにまた、請求項５のように、バーナ開度１０％ピッチ毎にデータを設定または補間計算をして、所定の燃焼空気の温度毎にバーナ開度、供給ファンの周波数、一次ダンパー及び二次ダンパーの開度を設定したバーナ制御マップとしたことによって、燃焼空気供給ファンより供給される燃焼空気の温度を温度センサで検出して、バーナ制御マップの所要の温度範囲間での補間計算をして、バーナ開度、燃焼空気供給ファンのインバータ周波数、一次ダンパー開度、二次ダンパー開度を設定したバーナ制御マップを記憶した制御器のバーナ制御マップを介して、上記したようにバーナに供給する燃焼空気の温度が大きく変動しても適正に燃焼調整させることができ、省エネ、ＣＯ2 の削減、サーマルＮＯｘの生成量の低減を図れる。
【図面の簡単な説明】
【００１６】
【図１】本発明の一実施例のバーナ装置部の概要説明用図、
【図２】同上の燃焼制御ブロック図、
【図３】同上のバーナ制御マップの説明用図、
【図４】予熱空気温度とＮＯｘ関係説明用図。
【発明を実施するための形態】
【００１７】
本発明のバーナ燃焼方法は、バーナに供給する燃焼空気の温度が常温〜５５０℃にわたって変動するバーナ燃焼で、バーナ本体と、バーナ本体への燃料供給量を調整する燃料供給弁と、該燃料供給弁の弁開度であるバーナ開度に連動させて燃焼空気量を調整するインバータ制御の燃焼空気供給ファンとを備え、検出される被加熱材料の加熱温度に基づいて前記燃料供給弁のバーナ開度を調整しながら所定温度まで加熱するバーナ燃焼方法であって、バーナ本体は一次空気用流路及び二次空気用流路を同心円状に形成し、各流路には流量調整用の一次ダンパー及び二次ダンパーで開閉調整するようにして、各ダンパーの開度に応じて前記燃焼空気供給ファンより供給される常温〜５５０℃の燃焼空気を各流路に分配供給して還元燃焼、酸化燃焼させる二段燃焼方式とし、常温〜５５０℃にわたって燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにバーナ制御マップを設定し、前記燃焼空気供給ファンより供給される燃焼空気の温度を温度センサで検出して、常温〜５５０℃にわたった燃焼空気の温度毎または所定の温度範囲毎でのバーナ開度、燃焼空気供給ファンのインバータ周波数、一次ダンパー開度、二次ダンパー開度をそれぞれ設定したバーナ制御マップを記憶した制御器のバーナ制御マップのデータを利用して前記温度センサにて検出される燃焼空気温度を基に、検出される燃焼空気の温度範囲に設定されたバーナ開度、燃焼空気供給ファンのインバータ周波数、一次ダンパー開度、二次ダンパー開度にて燃焼制御することを特徴としている。
【００１８】
また、本発明のバーナ装置は、バーナに供給する燃焼空気の温度が常温〜５５０℃にわたって変動するバーナ燃焼で、バーナ本体と、バーナ本体への燃料供給量を調整する燃料供給弁と、該燃料供給バーナ本体と、バーナ本体への燃料供給量を調整する燃料供給弁と、該燃料供給弁の弁開度であるバーナ開度に連動させて燃焼空気量を調整するインバータ制御の燃焼空気供給ファンとを備え、検出される被加熱材料の加熱温度に基づいて前記燃料供給弁のバーナ開度を調整しながら所定温度まで加熱するバーナ装置であって、バーナ本体は一次空気用流路及び二次空気用流路を同心円状に形成し、各流路には流量調整用の一次ダンパー及び二次ダンパーを備え、各ダンパーの開度に応じて前記燃焼空気供給ファンより供給される常温〜５５０℃の燃焼空気を各流路に分配供給して還元燃焼、酸化燃焼させる二段燃焼方式とし、常温〜５５０℃にわたって燃焼空気の温度毎または所定の温度範囲毎での燃料熱量と燃焼空気の保有熱量の合計をそれぞれ同等量として、燃焼空気の温度が高くなるほど燃焼空気供給ファンのインバータ周波数を上昇させるとともにバーナ開度を低下させて、一次ダンパー開度を絞り、二次ダンパー開度を大きくするようにバーナ制御マップを設定し、前記燃焼空気供給ファンより供給される燃焼空気の温度を検出する温度センサを備えて、前記温度センサにて検出される燃焼空気温度を基に前記常温〜５５０℃にわたったバーナ制御マップにより、検出される燃焼空気の温度範囲に設定されたバーナ開度、燃焼空気供給ファンのインバータ周波数、一次ダンパー開度、二次ダンパー開度にて燃焼制御するように構成したことを特徴としている。
【００１９】
バーナ装置１は、図１のようにバーナ本体２を同心円状の二重筒状体として、その内筒側に一次空気用流路３を接続し、外筒側に二次空気用流路４を接続し、これらの各流路３、４には流量調整用の一次ダンパー５及び二次ダンパー６を備え、燃焼空気供給ファン７より送給される予熱された燃焼空気を各ダンパー５、６の開度に応じて流量調整して分配供給する二段燃焼方式としている。
【００２０】
前記燃焼空気供給ファン７より燃焼空気が供給される燃焼空気流路８には、燃焼空気の温度を検出する温度センサ９を備える一方、燃焼空気の温度毎や温度範囲毎にバーナ開度、燃焼空気供給ファン７のインバータ１０の周波数、一次ダンパー開度、二次ダンパー開度を設定したバーナ制御マップのバーナ燃焼制御メモリ１１のデータを記憶するようにした制御器１２を備え、前記温度センサ９にて検出される燃焼空気温度を基に、図２のように前記バーナ燃焼制御メモリ１１のバーナ制御マップ１３によって、検出される燃焼空気の温度、または温度範囲に設定されたバーナ開度、燃焼空気供給ファン７のインバータ周波数、一次ダンパー開度、二次ダンパー開度にて燃焼制御するようにしている。
【００２１】
上記バーナ本体２には、図１のように中央部に燃料噴射ノズル１４を配設して燃料供給管１５を接続して燃料供給弁１６を配設し、該燃料供給弁１６の弁開度であるバーナ開度の開度調整用のコントロールモータ１７を介して開閉制御するようにしているもので、図１、図２のように加熱材料の温度信号値、燃焼空気の温度センサ９の検出値を制御器１２の入力部１８にて取り込み、バーナ制御マップ１３を参照しながら燃焼量制御部１９、燃焼空気供給フアン制御部２０、一次・二次ダンパー開度制御部２１を介して出力部２２に出力して、燃料供給弁開度調整用のコントロールモータ１７、燃焼空気供給ファン７のインバータ１０、一次ダンパー５、二次ダンパー６を制御するようにしている。２３はパイロットノズル、２４は保炎板である。
【００２２】
【表１】
0005613462.tif 000002
【００２３】
バーナ装置１については、前記したようにバイオマス発電施設から供給される燃焼空気の温度が大きく変動するため、理論式のみで燃焼制御することは難しい。そのため、例えば、表１のように、予め燃焼空気の温度毎または温度範囲毎にバーナ開度、燃焼空気供給ファン７のインバータ周波数、一次ダンパー開度、二次ダンパー開度を理論式や実験結果等によって対応させて設定しておき、この設定したバーナ開度、燃焼空気供給ファン７のインバータ周波数、一次ダンパー開度、二次ダンパー開度のデータを「バーナ制御マップ」としてバーナ燃焼制御メモリ１１に設定登録しておく。
【００２４】
その設定に際しては、燃焼空気温度が高くなるほど、燃焼空気供給ファン７のインバータ周波数を上昇させて燃焼空気を多く供給する。燃焼空気温度が高いほど保有熱量が大きくなるので、火炎温度を一定に維持するとすれば、燃焼空気の保有熱量（エア熱量）分だけバーナ開度を低下させて燃焼量（燃料熱量）を抑えることができて省エネルギー化がはかれる。すわなち、燃焼空気温度が高くなるほど（「バーナ制御マップ」中、下欄に向かうほど）、燃焼空気が保有している熱量が多くなるため、燃焼量（バーナ開度）は次第に小さく、燃焼空気供給量（ファンインバータ周波数）は次第に大きくするように設定する。
【００２５】
また、一次ダンパー５を通過する燃焼空気（一次空気）による一次燃焼では、理論空気比より少量の空気（空気比0.8程度）を供給して還元燃焼させる一方、二次ダンパー６を通過する燃焼空気（二次空気）による二次燃焼では、理論空気比を充足させる量の空気（空気比0.5程度以上）を供給して酸化燃焼させるように各ダンパー開度を設定登録すると、バーナ燃焼時の火炎温度を低下させることができてサーマルＮＯｘの生成量を効果的に低減することが可能となる。
【００２６】
したがって、一次ダンパー５を閉側に調整して一次空気を理論空気比より抑えることにより、図１に示しているように低酸素下での緩慢燃焼（還元燃焼）となってサーマルＮＯｘの生成を抑えられる。その際、酸素不足により不完全燃焼となってＣＯが多量に生成されるが、二次ダンパー６からの適宜量の二次空気によって完全燃焼（酸化燃焼）させる、二段燃焼方式としている。
【００２７】
ちなみに、一次ダンパー５を開側に調整して一次空気を理論空気比程度以上に供給すると、高酸素下での燃焼（酸化燃焼）となって完全燃焼されてＣＯの生成は抑えられるものの、サーマルＮＯｘの生成が助長される。例えば、図４に示すように、燃焼空気温度が４００℃を超える高温となると、バーナ燃焼でのサーマルＮＯｘ生成量が急激に増加することが分かっており、特にこの温度範囲（４００℃程度以上）の燃焼空気を供給する場合には、一次ダンパー５を極力閉側に調整してサーマルＮＯｘの生成量を抑え、低ＮＯｘ化をはかるようにしている。
【００２８】
また、表１の「バーナ制御マップ」では、縦列に並ぶ各枠内のトータル熱量（燃料熱量＋エア熱量）は全て略同等となるように設定している。例えば、マップ中の斜線にて囲った縦枠内に示される、５００℃に予熱した燃焼空気でのバーナ開度５４％、ファンインバータ周波数３６Hzのトータル熱量は、常温の燃焼空気でのバーナ開度７０％、ファンインバータ周波数２７Hzのトータル熱量と略同等である。また、常温の燃焼空気供給時における空気比は約１．３としているが、予熱された燃焼空気の空気比はそれより大に設定しており（例えば、燃焼空気温度が５００℃の場合、空気比は約１．７７に設定）、予熱燃焼空気の保有熱をできるだけ有効利用するようにしている。
【００２９】
したがって、運転時は、被加熱材料の温度を定期的に検出し、検出される被加熱材料の加熱温度に基づいて前記燃料供給弁１６の弁開度であるバーナ開度を調整すると共に、バーナ開度に連動させて所定の空気比となるように燃焼空気供給ファン７の回転数をインバータ制御するようにしている。
【００３０】
そして、運転中に、燃焼空気の検出用温度センサ９にて検出される燃焼空気の温度が予め設定した温度範囲から外れる程度の変動を生じたとき、例えば燃焼空気温度が２０℃程度の常温から５００℃に変動したときには、バーナ制御マップを参照し、例えばマップ中の斜線で囲った範囲であるバーナ開度７０％の場合であれば、その同列下欄の５００℃のバーナ開度５４％に変更すると共に、ファンインバータ周波数を２７Hzから３６Hzへ、一次ダンパー開度を４９％から１５％へ、二次ダンパー開度を０％から３４％へとそれぞれ変更する。
【００３１】
図３は、このときの各変更内容を視覚的にあらわしたものであり、図中の点線にて示される常温時の制御パターンから実線にて示される５００℃時の制御パターンへとそれぞれ変更する。これからも分かるように、燃焼空気温度が上がれば、その保有熱を有効利用するためファンインバータ周波数を上げる一方、その分だけバーナ開度を落として省エネを図りつつ、サーマルＮＯｘの生成を抑制するため一次ダンパー開度を閉側に、かつ二次ダンパー開度は開側に調整する設定としている。
【００３２】
このようにして、燃焼空気供給ファン７より供給される燃焼空気の温度を温度センサ９で検出して、燃焼空気の温度範囲毎にバーナ開度、燃焼空気供給ファン７のインバータ周波数、一次ダンパー開度、二次ダンパー開度を設定したバーナ制御マップ１３を記憶した制御器１２のバーナ制御マップを介して、上記したようにバーナに供給する燃焼空気の温度が大きく変動しても適正に燃焼調整させることができ、省エネ、ＣＯ2の削減、サーマルＮＯｘの生成量の低減を図ることができる。
【００３３】
なお、表１のバーナ制御マップのように、バーナ開度、ファンインバータ周波数、一次ダンパー開度、二次ダンパー開度の対応関係を、例えば常温のバーナ開度１０％ピッチ毎のデータとして設定している場合には、バーナ開度表示のないものに対しては必要に応じて補間計算を行い、バーナ開度、ファンインバータ周波数、一次ダンパー開度、二次ダンパー開度を決定できる。
【００３４】
上記のように、バーナ制御マップとして、バーナ開度１０％ピッチ毎にデータを設定したり、必要に応じて補間計算を行うようにしたが、所定の燃焼空気の温度毎等にバーナ開度、ファンインバータ周波数、一次ダンパー開度、二次ダンパー開度を設定することもできるもので、上記した本発明の趣旨にもとづいて適宜に変形態様を実施することができる。
【産業上の利用可能性】
【００３５】
本発明は、燃料処理分野における、アスファルトプラント、発電プラント、製鉄プラント、冶金プラント等の加熱、乾燥システムの燃焼用に広く利用できる。
【符号の説明】
【００３６】
１…バーナ装置      ２…バーナ本体    ３…一次空気用流路    ４…二次空気用流路
５…一次ダンパー    ６…二次ダンパー  ７…燃焼空気供給ファン  ９…温度センサ
１０…インバータ    １１…バーナ燃焼制御メモリ    １２…制御器  
１３…バーナ制御マップ    １６…燃料供給弁
【図１】
0005613462.tif 000003
【図２】
0005613462.tif 000004
【図３】
0005613462.tif 000005
【図４】
0005613462.tif 000006